(57)【特許請求の範囲】
【請求項１】
外管と、該外管内に摺動自在に嵌入される内管と、該内管を前記外管に所定の摺動位置で固定することができる固定装置とを具備する伸縮管構造において、
前記固定装置は、前記外管の一側壁に軸線方向に間隔をあけて形成された複数の貫通孔からなる係合溝と、前記内管内に配設され先部に前記係合溝に着脱自在に係合可能な係合爪を具備する係合爪進退部材と、前記内管内に伸延状態に配設され、先端が操作杆連結機構を介して前記係合爪進退部材の基部に連動連結されると共に基端が前記内管の端部から外部に導出される操作杆とを具備し、
固定脚によって前記外管が形成され、伸縮脚によって前記内管が形成される支持脚に用いられることを特徴とする伸縮管構造。
【請求項２】
中空矩形断面の固定脚と、該固定脚内に摺動自在に嵌入される中空矩形断面の伸縮脚と、該伸縮脚を前記固定脚に所定の摺動位置で固定することができる固定装置とを具備する伸縮管構造において、
前記固定装置は、前記固定脚の一側壁に軸線方向に間隔をあけて形成された複数の係合溝と、
前記伸縮脚内に配設され、両端が前記伸縮脚の内面に固着されると共に少なくとも一側方に前記係合溝に向けて開口する係合爪出没開口を有し、かつ、両側板に枢軸取付孔と起動軸ガイド縦孔を具備する矩形枠からなる固定枠と、
前記固定枠内に配設され、基部が枢軸によって前記固定枠の下端部に揺動自在に枢支連結されると共に、先部に前記固定枠の係合爪出没開口を通して前記係合溝に向けて進出可能な係合爪を具備し、かつ、前記起動軸ガイド縦孔と整合する起動軸ガイド傾斜孔が設けられている係合爪進退部材と、
前記固定枠を囲繞すると共に前記固定枠に対して軸線方向に相対移動可能なコ字状枠から形成され、該コ字状枠の両側板に、前記枢軸の両端を摺動自在に嵌入する枢軸ガイド縦孔と、起動軸取付孔とが設けられている摺動枠と、
前記起動軸ガイド縦孔と前記起動軸ガイド傾斜孔とを挿通すると共に、両端が前記摺動枠の両側板に設けられた起動軸取付孔に枢支される起動軸と、
先端が前記摺動枠に連結されると共に、他端が前記伸縮脚の下端部から導出される操作杆と、
前記固定枠の上端部と前記摺動枠の両側板の上端同士を連結する連結部との間に介設され、前記摺動枠を前記操作杆の引き出し方向と反対方向に付勢するスプリングとを具備する伸縮管構造。
【発明の詳細な説明】
【０００１】
【発明の属する技術分野】
本発明は、外管と内管からなる伸縮管構造、特に、梯子、梯子兼用脚立、脚立、作業用足場台、作業タワー等に用いられる昇降枠及び開口枠の伸縮管構造に関する。
【０００２】
【従来の技術】
従来、例えば、図１１に示す作業用足場台８０は、上面に作業床面８１を有する横長矩形板からなる足場板８２と、それぞれ上端部が足場板８２の左右端部に折り畳み連結機構８３、８４を介して折り畳み自在に連結されると共に、下端が床面８５に載置される一対の支持脚８６、８７を具備する。
【０００３】
ここに、支持脚８６、８７は伸縮管構造を具備する昇降枠として構成されている。即ち、支持脚８６（支持脚８７も同じ。）は、図１１に示すように、所定の間隔を開けて上下方向に伸延する一対の支柱８８、８９と、両支柱８８、８９間に上下方向に間隔を開けて横架される複数の踏み桟９０から形成されている。また、各支柱８８（支柱８９も同じ。）は、図１２に示すように、中空矩形断面を有する主脚（外管を形成する。）９１中に同様に中空矩形断面を有する伸縮脚（内管を構成する。）９２を摺動自在に嵌入した伸縮管構造を有している。さらに、伸縮脚９２の外側面にはラック溝９３ａが設けられ、このラック溝９３ａには、固定装置９３内に設けられスプリングによって係合方向に付勢されたラック歯を着脱自在に係合させることができる。
【０００４】
従って、伸縮脚９２を主脚９１に対して任意の長さだけ伸長した後、固定装置９３によってラック溝９３ａにラック歯を係合させることによって床面８５から足場板８２までの高さを調整することができる。
【０００５】
【発明が解決しようとする課題】
しかし、上記した昇降枠の伸縮管構造は、未だ、以下の解決すべき課題を有していた。
即ち、床面８５から足場板８２までの高さを調整する作業は、まず、固定装置９３の操作レバー９４を一定の押圧力で押してラック歯をラック溝９３ａから離脱し、次に、伸縮脚９２を主脚９１から相対的に摺動させ、その後、操作レバー９４の押圧力を解除してラック歯をラック溝９３ａに噛合させることによって行われることになる。
しかし、図１１に示すように、固定装置９３は専ら支持脚８６、８７の中間部分に位置しており、また、支柱８８、８９の内側に配設されている。しかも、固定装置９３は踏み桟９０間に配設されている。
【０００６】
従って、作業者が、この固定装置９３を操作して、床面８５から足場板８２までの高さを調整するためには、足を使うことができないので、背をかがめた窮屈な姿勢で、手で固定装置９３を操作する必要がある。また、操作レバー９４を押圧するには異物の噛み込み等によって相当な押圧力を要する場合があるが、手動で操作するため、十分な押圧力を生じることができないおそれがある。
本発明は、このような事情に鑑みなされたものであり、足等を用いることによって、容易にかつ確実に伸縮動作を行うことができる伸縮管構造を提供することを目的とする。
【０００７】
【課題を解決するための手段】
前記目的に沿う請求項１記載の伸縮管構造は、外管と、該外管内に摺動自在に嵌入される内管と、該内管を前記外管に所定の摺動位置で固定することができる固定装置とを具備する伸縮管構造において、
前記固定装置は、前記外管の一側壁に軸線方向に間隔をあけて形成された複数の貫通孔からなる係合溝と、前記内管内に配設され先部に前記係合溝に着脱自在に係合可能な係合爪を具備する係合爪進退部材と、前記内管内に伸延状態に配設され、先端が操作杆連結機構を介して前記係合爪進退部材の基部に連動連結されると共に基端が前記内管の端部から外部に導出される操作杆とを具備し、
固定脚によって前記外管が形成され、伸縮脚によって前記内管が形成される支持脚に用いられる。
【０００８】
【０００９】
請求項２記載の伸縮管構造は、中空矩形断面の固定脚と、該固定脚内に摺動自在に嵌入される中空矩形断面の伸縮脚と、該伸縮脚を前記固定脚に所定の摺動位置で固定することができる固定装置とを具備する伸縮管構造において、前記固定装置は、前記固定脚の一側壁に軸線方向に間隔をあけて形成された複数の係合溝と、前記伸縮脚内に配設され、両端が前記伸縮脚の内面に固着されると共に少なくとも一側方に前記係合溝に向けて開口する係合爪出没開口を有し、かつ、両側板に枢軸取付孔と起動軸ガイド縦孔を具備する矩形枠からなる固定枠と、前記固定枠内に配設され、基部が枢軸によって前記固定枠の下端部に揺動自在に枢支連結されると共に、先部に前記固定枠の係合爪出没開口を通して前記係合溝に向けて進出可能な係合爪を具備し、かつ、前記起動軸ガイド縦孔と整合する起動軸ガイド傾斜孔が設けられている係合爪進退部材と、前記固定枠を囲繞すると共に前記固定枠に対して軸線方向に相対移動可能なコ字状枠から形成され、該コ字状枠の両側板に、前記枢軸の両端を摺動自在に嵌入する枢軸ガイド縦孔と、起動軸取付孔とが設けられている摺動枠と、前記起動軸ガイド縦孔と前記起動軸ガイド傾斜孔とを挿通すると共に、両端が前記摺動枠の両側板に設けられた起動軸取付孔に枢支される起動軸と、先端が前記摺動枠に連結されると共に、他端が前記伸縮脚の下端部から導出される操作杆と、前記固定枠の上端部と前記摺動枠の両側板の上端同士を連結する連結部との間に介設され、前記摺動枠を前記操作杆の引き出し方向と反対方向に付勢するスプリングとを具備する。
ここに、固定脚とは、伸縮脚に対する概念であり、伸縮脚と異なり軸線方向に移動することができない全ての脚を意味する。従って、一端が枢支され枢支点回りに揺動するものであっても、軸線方向に移動することができない限り、固定脚に含まれることになる。
【００１０】
【発明の実施の形態】
続いて、添付した図面を参照しつつ、本発明を具体化した実施の形態につき説明し、本発明の理解に供する。
以下、図１〜図８を参照して、本発明の一実施の形態に係る伸縮管構造について説明する。なお、本実施の形態は、伸縮管構造を、作業用足場台Ａに用いる昇降枠及び開口枠の伸縮管構造に適用した場合である。
図１に示すように、作業用足場台Ａは、実質的に、上面に作業床面１０を有する横長矩形板からなる足場板１１と、それぞれ上端部が足場板１１の左右端部に折り畳み連結機構１２、１３を介して折り畳み自在に連結されると共に、下端が床面１４に載置される昇降枠１５と開口枠１６を具備する。
【００１１】
ここに、昇降枠１５は、図１、かつ、図３及び図４に示す側面視において、幅方向に所定の間隔を開けて垂直方向に伸延し、上端が足場板１１の左端部に折り畳み連結機構１２を介して連結される一対の左、右支柱１７、１８と、左、右支柱１７、１８間に上下方向に間隔を開けて横架される複数の踏み桟１９と、左、右支柱１７、１８の下端同士を連結する外管の一例である下部連結管２０と、上端が左、右支柱１７、１８の外側面に揺動自在に枢支されると共に下端が左、右支柱１７、１８の下端面より下方に伸延して床面１４に接地可能な左、右補助支柱２１、２２と、左、右補助支柱２１、２２と下部連結管２０との間に介設され、左、右補助支柱２１、２２の幅方向の張り出し量を規制する内管の一例である左、右張り出し量調整管２３、２４とを具備する。
【００１２】
左、右補助支柱２１、２２は、図１、図３〜図５に示すように、それぞれ、外管の一例である固定脚２５に対して内管の一例である伸縮脚２６が入れ子式に、即ち、軸線方向に摺動自在に挿入されている伸縮管構造を有すると共に、伸縮脚２６を任意の摺動位置（伸縮位置）で固定することができる固定装置２７（図６参照）を具備する。即ち、固定脚２５と伸縮脚２６と固定装置２７によって第１の伸縮管構造が形成される。
また、図１、図３〜図５に示すように、下部連結管２０の両端部に対して左、右張り出し量調整管２３、２４を入れ子式に、即ち、軸線方向に摺動自在に挿入することによって伸縮管構造が形成されると共に、左、右張り出し量調整管２３、２４を任意の伸縮位置で固定することができる固定装置２８を具備する。即ち、下部連結管２０と左、右張り出し量調整管２３、２４と固定装置２８によって第２の伸縮管構造が形成される。
【００１３】
一方、開口枠１６は、図１に示すように、幅方向に所定の間隔を開けて垂直方向に伸延し、上端が足場板１１の右端部に折り畳み連結機構１３を介して連結される一対の左、右支柱２９、３０と、左、右支柱２９、３０の下端同士を連結する下部連結管３１と、上端が左、右支柱２９、３０の外側面に揺動自在に枢支されると共に下端が左、右支柱２９、３０の下端面より下方に伸延して床面１４に接地可能な左、右補助支柱３２、３３と、左、右補助支柱３２、３３の幅方向の張り出し量を規制する左、右張り出し量調整管３４、３５とを具備する。
【００１４】
左、右補助支柱３２、３３は、図１に示すように、それぞれ、外管の一例である固定脚３６に対して内管の一例である伸縮脚３７が入れ子式に摺動自在に挿入されている伸縮管構造を有すると共に、伸縮脚３７を任意の摺動位置（伸縮位置）で固定することができる固定装置を具備する。即ち、固定脚３６と伸縮脚３７と固定装置によって第１の伸縮管構造が形成される。なお、図示しないが、固定脚３６に伸縮脚３７を固定する固定装置も、固定装置２７と同一の構成を有する。
また、外管の一例である下部連結管３１の両端部に対して内管の一例である左、右張り出し量調整管３４、３５を入れ子式に摺動自在に挿入することによって伸縮管構造が形成されると共に、左、右張り出し量調整管３４、３５を任意の伸縮位置で固定することができる固定装置３９を具備する。即ち、下部連結管３１と左、右張り出し量調整管３４、３５と固定装置３９によって第２の伸縮管構造が形成される。
【００１５】
本実施の形態は、上記した構成を有する作業用足場台Ａにおいて、昇降枠１５及び開口枠１６における第１の伸縮管構造における固定装置２７を、足によっても操作できる構成としたことに特徴を有する。
【００１６】
以下、第１の伸縮管構造を、図１〜図１０、特に、図５〜図１０を参照して詳細に説明する。
図５及び図９に示すように、中空矩形断面を有する固定脚２５の一側壁４０には、軸線方向に間隔をあけて多数の横長の貫通孔からなる係合溝４１が設けられており、これらの係合溝４１によってラックが形成される。なお、係合溝４１は、上記した貫通孔によって形成することができるのみならず、例えば、特開平８−６８２８３号公報や実開平７−３５１１９号公報等に記載されているように、平板上に多数の突条を長手方向に平行間隔を開けて一体的に又は貼り合わせ等によって植設することによって形成することもできる。
一方、図６〜図９に示すように、固定脚２５と同様に中空矩形断面を有する伸縮脚２６の上部には、一側壁４０と対向する側壁４２に縦長矩形形状の開口４３が形成されている。
【００１７】
また、伸縮脚２６の上部の内部には固定枠４４が配設されている。固定枠４４は、図１０に示すように、左、右側板４５、４６と、上、下端板４７、４８とからなる矩形枠から構成されており、上、下端板４７、４８を、図６及び図７に示すように、それぞれ固定ボルト４９、５０によって伸縮脚２６の他側壁５１に連結することによって、伸縮脚２６に固着される。
固定枠４４の前面には、図１０に示すように、伸縮脚２６に設けた開口４３及びその延長上に設けられている固定脚２５の係合溝４１に向けて開口する係合爪出没開口５２が形成されている。
【００１８】
固定枠４４の両側板４５、４６には、図１０に示すように、それぞれ、側面視で相互に整合する位置に、枢軸取付孔５３と起動軸ガイド縦孔５４が設けられている。
固定枠４４の内部には、図６〜図１０に示すように、側面視で３角形状の係合爪進退部材５５が配設されており、その基部には枢軸貫通孔５６が設けられている。そして、この枢軸貫通孔５６に枢軸５７を貫通させると共に、その両端をそれぞれ固定枠４４の枢軸取付孔５３に支承させることによって、固定枠４４の下端側（一端側）に係合爪進退部材５５を揺動自在に枢支連結することができる。
【００１９】
係合爪進退部材５５の前面（先部）には、図５〜図７及び図１０に示すように、伸縮脚２６の軸線方向に間隔を開けて複数の係合爪５８が突設されており、ラック歯を形成している。
また、係合爪進退部材５５には、係合爪進退部材５５を幅方向に貫通する起動軸ガイド傾斜孔５９が形成されており、側面視から明らかなように、起動軸ガイド傾斜孔５９は、一端が枢軸貫通孔５６の略直上に位置すると共に他端が後方に向けて傾斜しながら伸延する後方傾斜スリットとして形成されている。
伸縮脚２６内には、図５〜図１０に示すように、固定枠４４を囲繞する状態でコ字状枠からなる摺動枠６０が、伸縮脚２６の軸線方向に移動自在に、即ち、固定枠４４に対して相対的に移動自在に配設されている。
【００２０】
摺動枠６０は、図１０に示すように、左、右側板６１、６２と左、右側板６１、６２の上端同士を連結する連結板６３とから構成されている。この摺動枠６０において、前記した固定枠４４に設けた枢軸取付孔５３と係合爪進退部材５５に設けた枢軸貫通孔５６と整合する個所には、枢軸ガイド縦孔６４が形成されている。そして、枢軸ガイド縦孔６４内には、枢軸５７の両端が上下方向に摺動自在に枢支されることになる。
【００２１】
一方、図１０に示すように、固定枠４４に設けた起動軸ガイド縦孔５４と係合爪進退部材５５に設けた起動軸ガイド傾斜孔５９と整合する個所には、起動軸取付孔６５が形成されている。そして、起動軸ガイド縦孔５４と起動軸ガイド傾斜孔５９とを挿通する起動軸６４ａの両端を起動軸取付孔６５によって支承することができる。
図６及び図７に示すように、伸縮脚２６内には長尺の操作杆６６が同心円的に配設されており、操作杆６６の上端（先端）には係合リング６７が取付けられている。この係合リング６７を、図６〜図８に示すように、摺動枠６０の左、右側板６１、６２の下端間に架設されている係合軸６８に係合することによって、操作杆６６を摺動枠６０に連結することができる。なお、図１０に示すように、摺動枠６０の左、右側板６１、６２の下端には、係合軸６８を支承するための係合軸取付孔６９が設けられている。
上記したように、本実施の形態では、操作杆６６の上端を係合爪進退部材５５の基部に連動連結する操作杆連結機構が、実質的に、固定枠４４、摺動枠６０、係合リング６７等によって形成されることになる。
【００２２】
一方、操作杆６６の下端（基端）は、伸縮脚２６の下端部に取付けられた進退案内部材７０に設けた進退ガイド孔７１を通して下方に伸延すると共に、９０°屈曲して伸縮脚２６の側面より横側方（外部）に突出し、足踏みレバー７２を形成している。
さらに、固定枠４４の上端板４７の上面と摺動枠６０の連結板６３との間にはスプリング７３が介設されており、摺動枠６０を固定枠４４から操作杆６６と反対方向に、即ち、上方向（引き出し方向と反対方向）に付勢している。
【００２３】
次に、上記した構成を有する伸縮管構造の作動について説明する。
作業用足場台Ａの作業床面１０の高さ調整のため、伸縮脚２６を固定脚２５より引き出すに際しては、まず、伸縮脚２６の下端に設けた足踏みレバー７２を踏んで、操作杆６６を下方に引っ張る。この操作杆６６の引っ張り動作によって、摺動枠６０が固定脚２５内を下降し、摺動枠６０と一体をなす起動軸６４ａも下降する。起動軸６４ａは起動軸ガイド傾斜孔５９内に嵌入されているので、起動軸６４ａの下降によって、係合爪進退部材５５は枢軸５７回りに後方に回転することになる。そして、この回転によって、係合爪進退部材５５の前面に設けられている係合爪５８は、固定脚２５に設けられている係合溝４１から後退して解除されることになる。従って、伸縮脚２６を固定脚２５から、所定の長さだけ引き出すことができる。なお、摺動枠６０の下降にともなって、固定枠４４の上端板４７の上面と摺動枠６０の連結板６３との間に介設されたスプリング７３には付勢力が発生することになる。
【００２４】
このようにして、所定の長さだけ伸縮脚２６を引き出した後、操作杆６６の引っ張り力を解除すると、固定枠４４の上端板４７の上面と摺動枠６０の連結板６３との間に介設されたスプリング７３の付勢力により、係合爪進退部材５５は、枢軸５７回りに前方に回転し、その前面に設けられた係合爪５８が係合溝４１に向けて進出して再度係合溝４１に嵌入して、伸縮脚２６を固定脚２５に強固に固定することができる。
【００２５】
このように、本実施の形態では、作業者は、背をかがめたりせずに、足を使って普通の姿勢で固定装置２７を操作することができるので、伸縮管構造の操作性を向上でき、作業用足場台Ａの作業床面１０の高さ調整作業を容易かつ迅速に行うことができる。また、固定装置２７は実質的に伸縮脚２６内に収納されているので、外部の物と衝突して破損するといった事故も防止できる。
【００２６】
上記した実施の形態におけるその他の構成について説明すると、図７及び図１０に示すように、係合爪進退部材５５に設けた起動軸ガイド傾斜孔５９の先部には、前方に向けて凸の起動軸嵌入溝７３ａが形成されており、係合爪５８を係合溝４１に嵌入して伸縮脚２６を固定脚２５に固定している状態では、起動軸６４ａはこの起動軸嵌入溝７３ａに嵌入されている。従って、この状態では、係合爪進退部材５５に伸縮脚２６の軸線と直交する方向からの押圧力が作用しても、起動軸６４ａが起動軸ガイド傾斜孔５９に沿って移動するのを防止でき、従って、係合爪進退部材５５の後退回転によって、誤って、伸縮脚２６が固定脚２５から解除されるのを防止することができる。
【００２７】
図１に示す固定装置２８、３９は、本出願人が先に特開平９−１７７４６０号公報において開示した固定装置と同様な構成を有する。即ち、図３において、左、右張り出し量調整管２３、２４の端部内側には、板ばねをＵ字状に曲げて収納配設しており、同板ばねの一端に凸部を形成し、この凸部に左、右張り出し量調整管２３、２４に形成した孔に係合させると共に、板ばねの他端に位置決めピン７４を取付け、下部連結管２０の側壁に設けた位置決め孔７５及び左、右張り出し量調整管２３、２４に設けた貫通孔を挿通可能としている。なお、下部連結管２０には複数の位置決め孔７５、７６が設けられている。
【００２８】
かかる構成によって、位置決めピン７４の先端部を下部連結管２０の内部側に押し込み、位置決めピン７４と位置決め孔７５と貫通孔との嵌合状態を解放することにより、左、右張り出し量調整管２３、２４を摺動自在とすることができるようになっている。また、左、右張り出し量調整管２３、２４を摺動して、位置決めピン７４が位置決め孔７６の位置にくると、再び位置決めピン７４と位置決め孔７６及び貫通孔が嵌合状態となり、左、右張り出し量調整管２３、２４が下部連結管２０より摺動できないようにして、左、右張り出し量調整管２３、２４の左右外側への張り出し量を調整できるようにしている。
【００２９】
図１、図３及び図４において、左、右張り出し量調整管２３、２４の端部には短筒からなる受金７７が枢ピン７８により揺動自在に取付けられている。そして、受金７７には固定脚２５が摺動自在に保持されている。従って、左、右張り出し量調整管２３、２４が伸縮しても、受金７７が左、右張り出し量調整管２３、２４に対して揺動し、かつ、固定脚２５に対して摺動するので、左、右張り出し量調整管２３、２４を水平状態に保つことができる。
【００３０】
図５〜図８に示すように、伸縮脚２６の下端には足ソケット７９が装着されている。そして、伸縮脚２６の下端と足ソケット７９には、足踏みレバー７２の進退操作を確保するための切欠溝７９ａ、７９ｂが設けられている。
【００３１】
なお、本発明に係る伸縮管構造は、昇降枠１５を構成する固定脚２５と伸縮脚２６とからなる伸縮管構造について説明してきたが、開口枠１６を構成する固定脚３６と伸縮脚３７とからなる伸縮管構造についても同様である。
【００３２】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。
【００３３】
【発明の効果】
請求項１、２記載の伸縮管構造においては、伸縮管構造を構成する外管と内管を固定する固定装置の要部をなす係合爪進退部材を内管内に配設し、係合爪進退部材を同様に内管内に配設した操作杆を用いて外部より操作可能としたので、操作しやすい位置で固定装置を操作することができ、固定装置の操作性を向上することができる。また、係合爪進退部材が内管内に配設されているので、外部の物と接触して損傷するなどの事故も防止できる。
【００３４】
また、伸縮管構造は固定脚に伸縮脚を摺動自在に嵌入した支持脚として用いられ、固定脚によって外管が形成されると共に、伸縮脚によって内管を形成している。従って、作業者は、背をかがめたりせずに、足を使って普通の姿勢で固定装置を操作することができるので、伸縮管構造の操作性を向上でき、作業用足場台の作業床面の高さ調整作業等を容易かつ迅速に行うことができる。また、固定装置は実質的に伸縮脚内に収納されているので、外部の物と衝突して破損するといった事故も防止できる。
【００３５】
請求項２記載の伸縮管構造においては、足で操作杆を引き出すことによって係合爪進退部材を介して確実に係合爪を係合溝から離脱して固定脚と伸縮脚との係合を解除することができ、速やかに、固定脚に対して伸縮脚を摺動することができると共に、任意の摺動位置で操作杆の引き出し力を解除し、スプリングの付勢力を利用して係合爪を再度係合溝に確実に係合させることができ、固定装置の使い勝手を向上できる。
【図面の簡単な説明】
【図１】
本発明の一実施の形態に係る伸縮管構造を具備する作業用足場台の斜視図である。
【図２】
本発明の一実施の形態に係る伸縮管構造を具備する作業用足場台の正面図である。
【図３】
本発明の一実施の形態に係る伸縮管構造を具備する作業用足場台の側面図である。
【図４】
本発明の一実施の形態に係る伸縮管構造を具備する作業用足場台の側面図である。
【図５】
本発明の一実施の形態に係る昇降枠の伸縮管構造の正面図である。
【図６】
図５のＩ−Ｉ線による断面図である。
【図７】
図６の要部拡大図である。
【図８】
図７のII−II線による断面図である。
【図９】
図７のIII−III線による断面図である。
【図１０】
固定装置の要部の分解斜視図である。
【図１１】
従来の伸縮管構造を具備する作業用足場台の斜視図である。
【図１２】
従来の伸縮管構造の横断面図である。
【符号の説明】
Ａ  作業用足場台                    １０  作業床面
１１  足場板                        １２  折り畳み連結機構
１３  折り畳み連結機構              １４  床面
１５  昇降枠                        １６  開口枠
１７  左支柱                        １８  右支柱
１９  踏み桟                        ２０  下部連結管
２１  左補助支柱                    ２２  右補助支柱
２３  左張り出し量調整管            ２４  右張り出し量調整管
２５  固定脚                        ２６  伸縮脚
２７  固定装置                      ２８  固定装置
２９  左支柱                        ３０  右支柱
３１  下部連結管                    ３２  左補助支柱
３３  右補助支柱                    ３４  左張り出し量調整管
３５  右張り出し量調整管            ３６  固定脚
３７  伸縮脚                        ３９  固定装置
４０  側壁                          ４１  係合溝
４２  側壁                          ４３  開口
４４  固定枠                        ４５  左側板
４６  右側板                        ４７  上端板
４８  下端板                        ４９  固定ボルト
５０  固定ボルト                    ５１  側壁
５２  係合爪出没開口                ５３  枢軸取付孔
５４  起動軸ガイド縦孔              ５５  係合爪進退部材
５６  枢軸貫通孔                    ５７  枢軸
５８  係合爪                        ５９  起動軸ガイド傾斜孔
６０  摺動枠                        ６１  左側板
６２  右側板                        ６３  連結板
６４  枢軸ガイド縦孔                ６５  起動軸取付孔
６６  操作杆                        ６７  係合リンク
６８  係合軸                        ６９  係合軸取付孔
７０  進退案内部材                  ７１  進退ガイド孔
７２  足踏みレバー                  ７３  スプリング
７３ａ  起動軸嵌入溝                ７４  位置決めピン
７５  位置決め孔                    ７６  位置決め孔
７７  受金                          ７８  枢ピン
７９  足ソケット                    ７９ａ  切欠溝
７９ｂ  切欠溝
【図１】
0003955670.tif 000002
【図２】
0003955670.tif 000003
【図３】
0003955670.tif 000004
【図４】
0003955670.tif 000005
【図５】
0003955670.tif 000006
【図６】
0003955670.tif 000007
【図７】
0003955670.tif 000008
【図８】
0003955670.tif 000009
【図９】
0003955670.tif 000010
【図１０】
0003955670.tif 000011
【図１１】
0003955670.tif 000012
【図１２】
0003955670.tif 000013